(57)【要約】【課題】撮影オーダ情報の取り扱いの容易性及び正確性を確保し、かつ撮影オーダ情報の撮影状況を容易に管理することができるようにする。【解決手段】ＣＰＵ１１は、撮影状況通知処理において、情報管理装置３０から撮影オーダ情報を受信すると、オーダ登録テーブル１６１に記憶する。次いで、操作部１２から入力された患者ＩＤに対応する撮影オーダ情報をオーダ登録テーブル１６１から読み出してその一覧画面１３１を表示部１３に表示させる。一覧画面１３１において、撮影オーダ情報が指定されて撮影済みを示すチェックボックスにチェックマークが入力されると、撮影管理テーブル１６２において、そのオーダＩＤに対応する撮影済みフラグを「ＯＮ」に設定して記憶させる。次いで、撮影済みフラグが「ＯＮ」に設定されている撮影オーダ情報のオーダＩＤを撮影管理テーブル１６２から読み出して情報管理装置３０に送信する。【選択図】          図２
2004147921.tif 000002
【特許請求の範囲】
【請求項１】
撮影オーダ情報及びその撮影状況を管理する情報管理装置と、携帯型撮影情報装置とがネットワークを介して接続される医用画像撮影システムであって、
前記携帯型撮影情報装置は、
撮影オーダ情報を前記情報管理装置から受信する受信手段と、
前記受信手段により受信された撮影オーダ情報を記憶するオーダ記憶手段と、
前記オーダ記憶手段に記憶された撮影オーダ情報を表示する表示手段と、
前記表示手段に表示された撮影オーダ情報の撮影状況を入力する入力手段と、
前記入力手段により入力された撮影オーダ情報の撮影状況を記憶する撮影状況記憶手段と、
前記撮影状況記憶手段に記憶された撮影オーダ情報の撮影状況を前記情報管理装置に送信する送信手段と、を備え、
前記情報管理装置は、前記携帯型撮影情報装置から送信された撮影状況に基づいて、撮影オーダ情報の撮影状況を更新して管理することを特徴とする医用画像撮影システム。
【請求項２】
前記携帯型撮影情報装置において、
前記送信手段は、前記入力手段により撮影オーダ情報の撮影状況が入力される毎に、前記撮影状況記憶手段に記憶された撮影オーダ情報の撮影状況を前記情報管理装置に送信することを特徴とする請求項１に記載の医用画像撮影システム。
【請求項３】
前記携帯型撮影情報装置において、
前記送信手段は、所定時間毎に、前記撮影状況記憶手段に記憶された撮影状況を前記情報管理装置に送信することを特徴とする請求項１に記載の医用画像撮影システム。
【請求項４】
撮影オーダ情報及びその撮影状況を管理する情報管理装置からネットワークを介して撮影オーダ情報を受信する受信手段と、
前記受信手段により受信された撮影オーダ情報を記憶するオーダ記憶手段と、
前記オーダ記憶手段に記憶された撮影オーダ情報を表示する表示手段と、
前記表示手段に表示された撮影オーダ情報の撮影状況を入力する入力手段と、
前記入力手段により入力された撮影オーダ情報の撮影状況を記憶する撮影状況記憶手段と、
前記撮影状況記憶手段に記憶された撮影オーダ情報の撮影状況を前記情報管理装置に送信する送信手段と、
を備えることを特徴とする医用画像撮影システムにおける携帯型撮影情報装置。
【請求項５】
撮影オーダ情報及びその撮影状況を管理する情報管理装置と、携帯型撮影情報装置とがネットワークを介して接続される医用画像撮影システムにおける撮影状況管理方法であって、
前記携帯型撮影情報装置において、
撮影オーダ情報を前記情報管理装置から受信する受信工程と、
前記受信工程で受信された撮影オーダ情報をオーダ記憶手段に記憶するオーダ記憶工程と、
前記オーダ記憶手段に記憶された撮影オーダ情報を表示する表示工程と、
前記表示工程で表示された撮影オーダ情報の撮影状況を入力する入力工程と、
前記入力工程で入力された撮影オーダ情報の撮影状況を撮影状況記憶手段に記憶する撮影状況記憶工程と、
前記撮影状況記憶手段に記憶された撮影オーダ情報の撮影状況を前記情報管理装置に送信する送信工程と、
前記情報管理装置が、前記携帯型撮影情報装置から送信された撮影状況に基づいて、撮影オーダ情報の撮影状況を更新して管理する撮影状況管理工程と、
を含むことを特徴とする医用画像システムにおける撮影状況管理方法。
【発明の詳細な説明】
【０００１】
【発明の属する技術分野】
本発明は、医用画像撮影システム、医用画像撮影システムにおける携帯型撮影情報装置及び医用画像撮影システムにおける撮影状況管理方法に関する。
【０００２】
【従来の技術】
医療の分野においては、例えばコンピュータ断層画像撮影装置（以下、ＣＴ：Ｃｏｍｐｕｔｅｄ  Ｔｏｍｏｇｒａｐｈｙという。）やコンピュータ放射線画像撮影装置（以下、ＣＲ：Ｃｏｍｐｕｔｅｄ  Ｒａｄｉｏｇｒａｐｈｙという。）、核磁気共鳴イメージング装置（以下、ＭＲＩ：Ｍａｇｎｅｔｉｃ  Ｒｅｓｏｎａｎｃｅ  Ｉｍａｇｉｎｇという。）等の医用画像撮影システムが利用されている。この医用画像撮影システムは、被検体である患者を撮影し、その撮影した医用画像をデジタル画像データとして取得するシステムである。
【０００３】
ＣＲ装置は、支持体上に輝尽性蛍光体層を形成した蛍光体プレートを使用するものであり、撮影時にはその蛍光体層に被検体を透過した放射線を吸収させ、被検体各部の放射線透過度に対応する放射線エネルギーを蓄積させて潜像を形成する。その後、蛍光体層をレーザ光等の励起光で走査することによって放射線エネルギーを蛍光として放射させ、その蛍光を光電変換することにより画像信号を読み取るものである。
【０００４】
斯かる医用画像撮影システムには、大きく分けて二つのシステム構成がとられる。
その一つは、蛍光体プレートを内蔵して撮影と画像の読み取りを行う撮影読取装置が撮影室に設置された、固定タイプの医用画像撮影システムである。このシステムでは、撮影に続いてその撮影画像をデジタル画像データで読み取ることが可能である。
他の一つは、手術後又は重傷である等の理由で、撮影室が設置されている場所まで移動できない患者のために、移動可能な回診用の撮影装置（以下、ポータブル撮影装置という。）と、蛍光体プレートを収納した持ち運び可能なカセッテとを用いて、回診先において撮影を行う移動タイプの医用画像撮影システムである。このシステムでは、撮影後にカセッテ専用の読取装置によりカセッテから撮影画像を読み取ってデジタル画像データを得る。
【０００５】
この移動タイプの医用画像撮影システムにおいては、検査技師による撮影は、一般的に次のような手順で行われる。
（１）病院内の情報を管理するシステム（以下、ＨＩＳ：Ｈｏｓｐｉｔａｌ  ｉｎｆｏｒｍａｔｉｏｎ  Ｓｙｓｔｅｍという）や放射線科内の情報を管理するシステム（以下、ＲＩＳ：Ｒａｄｉｏｌｏｇｙ  Ｉｎｆｏｒｍａｔｉｏｎ  Ｓｙｓｔｅｍという）等において、医師からの依頼により発行された撮影オーダ情報をオーダ用紙に印刷する。この撮影オーダ情報には、撮影する患者の氏名、性別等の患者情報や撮影部位、撮影方法等の撮影情報が含まれ、どの患者に対してどのように撮影するかが示されている。
（２）ポータブル撮影装置及びカセッテを患者がいる病室に搬送する。
（３）オーダ用紙に印刷された撮影オーダ情報により撮影する患者や撮影部位等を確認すると、撮影装置及びカセッテを用いて撮影を実行する。
（４）撮影済みのカセッテをカセッテ専用の読取装置に装着して、撮影された医用画像の読み取りを行う。
【０００６】
従来は、このように撮影された医用画像に、例えば医用画像が原画像であるのか複写画像であるのか、既に診断確定済みであるのか否か等、その現在状況を示すステータス情報を付帯し、医用画像をその現在状況とともに管理していた（例えば、特許文献１参照）。
【０００７】
【特許文献１】
特開２０００−２６８１１７号公報（第３−７頁、第１図）
【０００８】
【発明が解決しようとする課題】
しかしながら、上記のような撮影方法では、撮影オーダ情報をオーダ用紙、すなわち紙媒体に印刷して利用しているため、複数の撮影が重なるとオーダ用紙の取り扱いが煩雑になり、どのカセッテによりどの撮影部位を撮影したかがわからなくなる場合がある。また、撮影オーダ情報には、撮影された医用画像を画像処理する際の画像処理条件が含まれており、撮影された医用画像を画像処理する際には、撮影オーダ情報に従って撮影部位に適した処理を行う。そのため、異なる医用画像と撮影オーダ情報とを対応付けると、適切な画像処理が行われず適正な診断を行えなくなる可能性が有る。従って、撮影オーダ情報の取り扱いには正確性及び安全性が要求される。
【０００９】
また、ＨＩＳやＲＩＳでは、管理している撮影オーダ情報が撮影済みのものであるのか否か、その撮影状況を管理していないため、撮影を依頼した医師から撮影状況の問い合わせを受けた場合は、撮影状況の情報を提供することができなかった。
【００１０】
本発明の課題は、撮影オーダ情報の取り扱いの容易性及び正確性を確保し、かつ撮影オーダ情報の撮影状況を容易に管理することができるようにすることである。
【００１１】
【課題を解決するための手段】
請求項１に記載の発明は、
撮影オーダ情報及びその撮影状況を管理する情報管理装置と、携帯型撮影情報装置とがネットワークを介して接続される医用画像撮影システムであって、
前記携帯型撮影情報装置は、
撮影オーダ情報を前記情報管理装置から受信する受信手段と、
前記受信手段により受信された撮影オーダ情報を記憶するオーダ記憶手段と、
前記オーダ記憶手段に記憶された撮影オーダ情報を表示する表示手段と、
前記表示手段に表示された撮影オーダ情報の撮影状況を入力する入力手段と、
前記入力手段により入力された撮影オーダ情報の撮影状況を記憶する撮影状況記憶手段と、
前記撮影状況記憶手段に記憶された撮影オーダ情報の撮影状況を前記情報管理装置に送信する送信手段と、を備え、
前記情報管理装置は、前記携帯型撮影情報装置から送信された撮影状況に基づいて、撮影オーダ情報の撮影状況を更新して管理することを特徴としている。
【００１２】
請求項４に記載の発明は、医用画像撮影システムにおける携帯型撮影情報装置であって、
撮影オーダ情報及びその撮影状況を管理する情報管理装置からネットワークを介して撮影オーダ情報を受信する受信手段と、
前記受信手段により受信された撮影オーダ情報を記憶するオーダ記憶手段と、
前記オーダ記憶手段に記憶された撮影オーダ情報を表示する表示手段と、
前記表示手段に表示された撮影オーダ情報の撮影状況を入力する入力手段と、
前記入力手段により入力された撮影オーダ情報の撮影状況を記憶する撮影状況記憶手段と、
前記撮影状況記憶手段に記憶された撮影オーダ情報の撮影状況を前記情報管理装置に送信する送信手段と、
を備えることを特徴としている。
【００１３】
請求項５に記載の発明は、
撮影オーダ情報及びその撮影状況を管理する情報管理装置と、携帯型撮影情報装置とがネットワークを介して接続される医用画像撮影システムにおける撮影状況管理方法であって、
前記携帯型撮影情報装置において、
撮影オーダ情報を前記情報管理装置から受信する受信工程と、
前記受信工程で受信された撮影オーダ情報をオーダ記憶手段に記憶するオーダ記憶工程と、
前記オーダ記憶手段に記憶された撮影オーダ情報を表示する表示工程と、
前記表示工程で表示された撮影オーダ情報の撮影状況を入力する入力工程と、
前記入力工程で入力された撮影オーダ情報の撮影状況を撮影状況記憶手段に記憶する撮影状況記憶工程と、
前記撮影状況記憶手段に記憶された撮影オーダ情報の撮影状況を前記情報管理装置に送信する送信工程と、
前記情報管理装置が、前記携帯型撮影情報装置から送信された撮影状況に基づいて、撮影オーダ情報の撮影状況を更新して管理する撮影状況管理工程と、
を含むことを特徴としている。
【００１４】
この請求項１、４、５に記載の発明によれば、携帯型撮影情報装置が、撮影オーダ情報を受信して記憶するので、撮影オーダ情報の取り扱いの容易性及び正確性を確保することができる。また、携帯型撮影情報装置が、撮影オーダ情報の撮影状況を情報管理装置に送信し、情報管理装置が携帯型撮影情報装置から送信された撮影状況により撮影オーダ情報の撮影状況を更新して管理するので、情報管理装置側で撮影状況を容易に管理することができ、撮影状況の情報を提供することが可能となる。
【００１５】
請求項２に記載の発明は、請求項１に記載の医用画像撮影システムにおいて、
前記携帯型撮影情報装置において、
前記送信手段は、前記入力手段により撮影オーダ情報の撮影状況が入力される毎に、前記撮影状況記憶手段に記憶された撮影オーダ情報の撮影状況を前記情報管理装置に送信することを特徴としている。
【００１６】
この請求項２に記載の発明によれば、携帯型撮影情報装置が、撮影状況が入力される毎にその撮影状況を情報管理装置に送信するので、より即時に撮影状況を管理することが可能となる。
【００１７】
請求項３に記載の発明は、請求項１に記載の医用画像撮影システムにおいて、
前記携帯型撮影情報装置において、
前記送信手段は、所定時間毎に、前記撮影状況記憶手段に記憶された撮影状況を前記情報管理装置に送信することを特徴としている。
【００１８】
この請求項３に記載の発明によれば、携帯型撮影情報装置が、所定時間毎に、撮影状況を情報管理装置に送信するので、所定時間毎に撮影状況を更新して管理することが可能となる。
【００１９】
【発明の実施の形態】
以下、図を参照して本発明の実施の形態を詳細に説明する。
まず、構成を説明する。
図１は、本実施の形態における医用画像撮影システム１００の全体構成を示すブロック図である。図１において、医用画像撮影システム１００は、携帯情報端末１０ａ〜１０ｎ（以下、ＰＤＡ；Ｐｅｒｓｏｎａｌ  Ｄｉｇｉｔａｌ  Ａｓｓｉｓｔａｎｔと略称する。）、情報管理装置３０、ポータブル撮影装置４０、制御装置５０、カセッテ専用の医用画像読取装置６０から構成され、ＰＤＡ１０ａ〜１０ｎと、情報管理装置３０と、制御装置５０とは、ネットワークＮを介して相互にデータの送受信が可能に接続されている。
【００２０】
ネットワークＮは、専用線や既存の一般公衆回線を利用して構築された通信ネットワークであり、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等の様々な回線形態を適用可能である。各装置間は、有線接続であってもよいし、病院等の医療機関内で許可されるのであれば、無線通信や赤外線通信であってもよい。ただし、撮影オーダ情報は個人のプライバシーに関わる患者情報を含んでいるので、撮影オーダ情報を送受信する際には暗号化を行うこととする。
【００２１】
ＰＤＡ１０ａ〜１０ｎは、撮影技師等の各撮影者が携帯する携帯型撮影情報装置である。ＰＤＡ１０ａ〜１０ｎは、情報管理装置３０から撮影オーダ情報を受信して記憶し、撮影時には撮影者から指定された撮影オーダ情報を表示する。本実施の形態では、携帯型撮影情報装置としてＰＤＡを適用した例を説明するが、これに限らず、ノート型パーソナルコンピュータや携帯電話端末等を適用してもよい。
【００２２】
情報管理装置３０は、医師からの依頼を受け付けて撮影オーダ情報を発行し、発行した撮影オーダ情報を、その撮影オーダ情報に基づく撮影が行われたか否か等の撮影状況とともに管理する。情報管理装置３０は、撮影オーダ情報にその撮影オーダ情報を個別的に識別するための識別情報（以下、オーダＩＤという）を付して管理し、ネットワークＮを介して接続されたＰＤＡ１０ａ〜１０ｎ、制御装置５０にオーダＩＤを付した撮影オーダ情報を送信する。なお、情報管理装置としては、撮影オーダの予約受付を行い、その撮影オーダ情報を管理する受付装置や、ＨＩＳやＲＩＳ等の情報管理システムであってもよい。
【００２３】
ポータブル撮影装置４０は、Ｘ線発生装置を備えた、移動可能な医用画像撮影装置である。ポータブル撮影装置４０は、撮影者の操作に応じて回診先において患者を撮影し、撮影した医用画像をカセッテ７０に記録する。カセッテ７０は、蛍光体プレートを内蔵してポータブル撮影装置４０により撮影された医用画像を記録するものであり、カセッテ７０の表面には、そのカセッテを他のカセッテと区別するための固有の識別情報（以下、カセッテＩＤという）がバーコード化されて設けられている。
【００２４】
医用画像読取装置６０は、カセッテ７０に記録されている医用画像を読み取る。制御装置５０は、医用画像読取装置６０の読み取り動作を制御し、読み取られた医用画像を医用画像読取装置６０から取得する。制御装置５０は、情報管理装置３０から撮影オーダ情報を受信し、画像管理のために、受信した撮影オーダ情報と、医用画像読取装置６０から取得した医用画像との対応付けを行う。
【００２５】
次に、ＰＤＡ１０ａ〜１０ｎについて説明するが、各ＰＤＡ１０ａ〜１０ｎは、その構成及び動作は同一である。従って、以下、ＰＤＡ１０ａを代表としてその構成及び動作を説明する。
【００２６】
図２は、本実施の形態におけるＰＤＡ１０ａの機能的構成を示すブロック図である。図２において、ＰＤＡ１０ａは、ＣＰＵ（Ｃｅｎｔｒａｌ  Ｐｒｏｃｅｓｓｉｎｇ  Ｕｎｉｔ）１１、操作部１２、表示部１３、通信制御部１４、ＲＡＭ（Ｒａｎｄｏｍ  Ａｃｃｅｓｓ  Ｍｅｍｏｒｙ）１５、記憶装置１６、バーコードリーダ１７から構成され、各部はバス１９により接続されている。
【００２７】
ＣＰＵ１１は、記憶装置１６に格納されているシステムプログラム及び各種アプリケーションプログラムの中から指定されたプログラムをＲＡＭ１５に展開し、当該プログラムに従って、ＰＤＡ１０ａの各部を集中制御する。
【００２８】
ＣＰＵ１１は、撮影状況通知処理において、通信制御部１４を介して情報管理装置３０から撮影オーダ情報を受信すると、オーダ登録テーブル１６１に記憶する。次いで、操作部１２から患者を個々に識別するための固有の識別情報（以下、患者ＩＤという。）が入力されて撮影オーダ情報の表示が指示されると、入力された患者ＩＤに対応する撮影オーダ情報をオーダ登録テーブル１６１から読み出してその一覧画面１３１（図７参照）を表示部１３に表示させる。次いで、操作部１２から撮影する撮影オーダ情報が指定され、カセッテＩＤのバーコード画像がバーコードリーダ１７から入力されると、バーコード画像からカセッテＩＤを認識し、指定された撮影オーダ情報のオーダＩＤと、認識したカセッテＩＤとを対応付けて撮影管理テーブル１６２に記憶させる。
【００２９】
次いで、ＣＰＵ１１は、指定された撮影オーダ情報が撮影済みであることを示すチェックボックスにチェックマークが入力されると、撮影管理テーブル１６２において、そのオーダＩＤに対応する撮影済みフラグを「ＯＮ」に設定して記憶させる。次いで、撮影済みフラグが「ＯＮ」に設定されている撮影オーダ情報のオーダＩＤを撮影管理テーブル１６２から読み出し、情報管理装置３０に読み出したオーダＩＤを通信制御部１４を介して送信させる。
【００３０】
操作部１２は、カーソルキー、数字入力キー及び各種機能キーを備え、押下されたキーに対応する押下信号をＣＰＵ１１に出力する。なお、操作部１２は、必要に応じてマウス、タッチパネル等のポインティングディバイスやその他の操作入力装置を備えることとしてもよい。
【００３１】
操作部１２は、撮影状況を入力する入力手段であり、撮影状況通知処理において、一覧画面１３１に表示された撮影オーダ情報の撮影済みチェックボックスに、撮影状況が撮影済みであることを示すチェックマークを入力する。
【００３２】
表示部１３は、撮影オーダ情報を表示する表示手段であり、ＬＣＤ（Ｌｉｑｕｉｄ  Ｃｒｙｓｔａｌ  Ｄｉｓｐｌａｙ）等による表示ディスプレイ等から構成される。
【００３３】
通信制御部１４は、ネットワークインターフェイスカード、モデム又はターミナルアダプタ等を備えて受信手段及び送信手段を構成し、ネットワークＮ上の外部機器との通信を制御する。例えば、通信制御部１４は、情報管理装置３０との無線通信を確立し、ネットワークＮを介して撮影オーダ情報をそのオーダＩＤ順に受信するとともに、撮影済みの撮影オーダ情報のオーダＩＤを送信する。なお、この場合、必要であればＰＨＳ等の携帯型の電話端末を利用して無線通信を確立することとしてもよい。
【００３４】
ＲＡＭ１５は、ＣＰＵ１１によって実行される各種プログラムやこれら各種プログラムによって処理されたデータ等を一時的に記憶するワークエリアを形成する。
【００３５】
記憶装置１６は、プログラムやデータ等が予め記憶されている記憶媒体（図示せず）を有している。この記憶媒体は、システムプログラム、当該システムプログラムに対応する各種アプリケーションプログラム及び各種プログラムで処理されたデータ等を記憶する。また、この記憶媒体は磁気的、光学的記憶媒体又は半導体メモリで構成され、記憶装置１６に固定的に設けられるもの又は着脱自在に装着するものである。
【００３６】
また、記憶装置１６は、オーダ登録ファイル１６１、撮影管理テーブル１６２を内部に格納している。
【００３７】
オーダ登録ファイル１６１は、情報管理装置３０から受信した撮影オーダ情報を更新可能に記憶するオーダ記憶手段である。オーダ登録ファイル１６１は、図３にそのデータ格納例を示すように、オーダＩＤ順に、撮影する患者のＩＤ（例えば“ＡＡ−００１”）、氏名（例えば“鈴木花子”）、性別（例えば“女”、“男”）、年齢（例えば“４５”）等の患者情報と、撮影条件（撮影部位、撮影方向を含む。例えば  “胸部正面”）、撮影に用いるカセッテのＩＤ（例えば“ＡＢ０１”）等の撮影情報と、撮影された医用画像の画像処理条件（例えば“コントラスト＋１”、これは階調処理においてコントラストのレベルを１上げることを示す）と、撮影された医用画像の出力条件（例えば“フィルムサイズ１４×１４”、これはフィルム出力する際のフィルムサイズを示す）と、を記憶する。
【００３８】
患者情報は、図３に示した撮影する患者のＩＤ、氏名、性別、年齢の他、例えば検査の依頼科、担当医名、病室名、感染症等を警告する医療警告情報、薬物アレルギーの有無、妊娠の有無、追加病歴、車椅子や担架等の特別な介護の必要性、臨床診断名、守秘事項等の各種患者情報が記憶される。
【００３９】
撮影情報としては、図３に示した撮影条件、カセッテＩＤの他、例えば撮影方法（単純撮影、造影撮影等）、撮影予定日、撮影に使用する撮影装置、読取装置等の各種撮影情報が記憶される。
【００４０】
画像処理条件としては、図３に示した階調処理における画像処理条件の他、画像の鮮鋭度を調整する周波数処理、ダイナミックレンジの広い画像を被写体の細部のコントラストを低下させることなく見やすい濃度範囲に収めるためのダイナミックレンジ圧縮処理、画像データを所定の圧縮化方式で圧縮する圧縮処理等の各種画像処理時の画像処理条件が記憶される。
【００４１】
出力条件としては、図３に示したフィルム出力する際のフィルムサイズの他、例えば撮影された画像を表示出力する際の、画像の反転、回転、明度、コントラスト等の出力条件が記憶される。
【００４２】
撮影管理テーブル１６２は、撮影オーダ情報の撮影状況を記憶する撮影状況記憶手段である。撮影管理テーブル１６２は、図４にそのデータ格納例を示すように、撮影オーダ情報のオーダＩＤ（例えば、“００１”、“００２”等）と、その撮影に用いるカセッテ７０のＩＤ（例えば、“ＡＢ０１”、“ＡＢ０５”等）と、その撮影オーダ情報は撮影済みか否かの撮影状況を示す撮影済みフラグと（撮影済みの場合は“ＯＮ”、未撮影の場合は“ＯＦＦ”）、を対応付けて記憶している。
【００４３】
バーコードリーダ１７は、光学的な読み取り機構のスキャナを有し、カセッテ７０のカセッテＩＤのバーコードを読み取って、その画像データをＣＰＵ１１に出力する。
【００４４】
次に、本実施の形態の動作を説明する。
後述するフローチャートに記述されている各機能を実現するためのプログラムはコンピュータが読み取り可能なプログラムコードの形態でＰＤＡ１０ａの記憶装置１６に格納されており、ＰＤＡ１０ａのＣＰＵ１１は、当該プログラムコードに従った動作を逐次実行する。
【００４５】
最初に、図５を参照して、ＰＤＡ１０ａを用いた医用画像撮影システム１００における全体的な撮影の流れを説明する。ＰＤＡ１０ａは、例えば歩行が困難である、手術中である等、撮影室まで移動できない患者を、患者がいる病室等でポータブル撮影装置４０及びカセッテ７０を用いて撮影する際に利用される。
【００４６】
図５において、まず診療科の医師が撮影のオーダに必要な各種情報を情報管理装置３０に入力して撮影オーダ情報の発行を指示する。情報管理装置３０では入力された各種情報に基づいて撮影オーダ情報を発行し、オーダＩＤを付して管理される（ステップＡ１）。次いで、情報管理装置３０は、ＰＤＡ１０ａと無線通信を確立して撮影オーダ情報を送信し（ステップＳ２）、ＰＤＡ１０ａは、情報管理装置３０から撮影オーダ情報を受信すると、オーダ登録ファイル１６１に記憶する。
【００４７】
一方、ＰＤＡ１０ａを携帯する撮影者は、ポータブル撮影装置４０及びカセッテ７０を病室に搬送して撮影準備を整えると、ＰＤＡ１０ａを操作して撮影オーダ情報の確認を行うために、まず撮影対象の患者ＩＤを操作入力し（ステップＡ３）、撮影オーダ情報の表示を指示する。ＰＤＡ１０ａには患者ＩＤに応じた撮影オーダ情報の一覧が表示され（ステップＡ４）、撮影者は、ＰＤＡ１０ａに表示された撮影オーダ情報から撮影する患者や撮影部位を確認する。
【００４８】
次いで、撮影者は、撮影に用いるカセッテ７０のＩＤをＰＤＡ１０ａに読み取らせてカセッテ登録を指示し、ＰＤＡ１０ａでは、撮影オーダ情報と、読み取ったカセッテ７０のＩＤとを対応付けて記憶される（ステップＡ５）。次いで、撮影者は、カセッテ登録したカセッテ７０及びポータブル撮影装置４０を用いて、Ｘ線撮影を行う（ステップＡ６）。
【００４９】
このようにして、一患者に対する一つ又は複数の撮影オーダ情報に基づく撮影を終了すると（ステップＡ７）、撮影者は、次に撮影する患者のＩＤをＰＤＡ１０ａに入力し（ステップＡ４）、同様に次の患者に対する一連の撮影作業を行う。
【００５０】
撮影者は、一連の撮影が終了後、撮影された医用画像を記録しているカセッテ７０を医用画像読取装置６０に挿入し、制御装置５０を操作してその医用画像の読み取りを指示する。医用画像読取装置６０では、カセッテ７０から医用画像を読み取るとともにカセッテ７０のＩＤを読み取り、制御装置５０に送信される。制御装置５０では、予め情報管理装置３０から撮影オーダ情報を受信して記憶し、医用画像読取装置６０から取得した医用画像と、撮影者により指定された撮影オーダ情報とを対応付けて記憶される。
【００５１】
次に、図６のフローチャートを参照して、上述した一連の撮影において、ＰＤＡ１０ａのＣＰＵ１１により実行される撮影状況通知処理を説明する。
【００５２】
図６において、ＣＰＵ１１は、通信制御部１４を介して情報管理装置３０から撮影オーダ情報を受信すると、受信した撮影オーダ情報をそのオーダＩＤ順にオーダ登録ファイル１６１に記憶させる（ステップＳ１）。次いで、操作部１２から患者ＩＤが入力されて撮影オーダ情報の表示が指示されると（ステップＳ２）、入力された患者ＩＤに対応する撮影オーダ情報をオーダ登録ファイル１６１から読み出して、図７に示すような、撮影オーダ情報の一覧画面１３１を表示部１３に表示させる（ステップＳ３）。
【００５３】
この一覧画面１３１では、読み出した撮影オーダ情報をそのオーダＩＤ順に表示させ、撮影オーダ情報毎に撮影済みであることを示すチェックマークを入力するチェックボックスを表示させる。一覧画面１３１において、撮影者により操作部１２を介して撮影するオーダ情報を指定されると（ステップＳ４）、ＣＰＵ１１は、指定された撮影オーダ情報を網掛けする等して識別表示させる。
【００５４】
次いで、撮影するオーダ情報を指定された状態で、撮影者からカセッテＩＤの読み取りが指示され、バーコードリーダ１７によりカセッテＩＤのバーコード画像が入力されると（ステップＳ５；Ｙ）、ＣＰＵ１１は、そのバーコード画像からカセッテＩＤを認識する。次いで、ＣＰＵ１１は、撮影管理テーブル１６２において、指定された撮影オーダ情報のオーダＩＤと、入力されたカセッテＩＤとを対応付けて記憶する（ステップＳ６）。
【００５５】
さらに、一覧画面１３１において、指定された撮影オーダ情報の撮影済みチェックボックスに、撮影済みを示すチェックマークが操作部１２から入力されると（ステップＳ７；Ｙ）、撮影管理テーブル１６２において、チェックマークが入力された撮影オーダ情報のオーダＩＤに対応する撮影済みフラグを「ＯＮ」に設定する（ステップＳ８）。
【００５６】
次いで、ＣＰＵ１１は、撮影済みフラグを「ＯＮ」に設定した撮影オーダ情報のオーダＩＤを情報管理装置３０に送信させ（ステップＳ９）、送信したオーダＩＤの撮影オーダ情報は、撮影状況は撮影済みであることを通知する。
【００５７】
次いで、ＣＰＵ１１は、撮影終了の指示が操作部１２から指示されたか否かを判別し（ステップＳ１０）、撮影終了が指示されていない場合はステップＳ４に戻り、撮影終了が指示された場合は、撮影状況通知処理を終了する。
【００５８】
情報管理装置３０は、ＰＤＡ１０ａから撮影済みのオーダＩＤを受信し、情報管理装置３０が管理している撮影オーダ情報のうち、受信したオーダＩＤの撮影オーダ情報の撮影状況を未撮影から撮影済みに更新して撮影状況を管理する。
【００５９】
このようにして、情報管理装置３０は、撮影オーダ情報を配信したＰＤＡ１０ａ〜１０ｎから撮影済みのオーダＩＤを受信し、情報管理装置３０で管理している撮影オーダ情報の撮影状況を即時に更新して管理する。情報管理装置３０は、例えば検査撮影を依頼した医師等からオーダＩＤを指定されてその撮影状況の問い合わせを受けると、指定されたオーダＩＤの撮影状況を撮影済みで管理している場合には、指定されたオーダＩＤの検査撮影は終了していることを表示手段に表示する等して撮影状況の情報を提供する。
【００６０】
以上のように、ＰＤＡ１０ａ〜１０ｎは、情報管理装置３０から撮影オーダ情報を受信して記憶し、撮影者からの表示指示に応じて指定された撮影オーダ情報を表示するので、撮影オーダ情報の取り扱いが容易かつ正確となるとともに所望の撮影オーダ情報を容易に確認することができる。従って、撮影作業に対する撮影者の負担を軽減することができる。
【００６１】
また、ＰＤＡ１０ａ〜１０ｎは、撮影管理テーブル１６２に撮影オーダ情報の撮影状況を記憶し、撮影オーダ情報に基づいた撮影が終了し、その撮影オーダ情報に対して撮影済みのチェックが入力される毎に、撮影管理テーブル１６２においてその撮影オーダ情報に対応する撮影済みフラグを「ＯＮ」に設定し、撮影済みフラグを「ＯＮ」に設定した撮影オーダ情報のオーダＩＤを撮影管理テーブル１６２から読み出して情報管理装置３０に送信するので、情報管理装置３０側で撮影オーダ情報の撮影状況を即時に更新して管理することが可能となる。従って、情報管理装置３０側で撮影状況の情報を容易に提供することができる。
【００６２】
なお、本実施の形態における記述内容は、本発明を適用した医用画像撮影システム１００の好適な一例であり、これに限定されるものではない。
例えば、上述した説明では、１つの撮影オーダ情報に基づく撮影が終了して撮影済みのチェックマークが入力される毎に、撮影管理テーブル１６２からその撮影済みのオーダＩＤを読み出して情報管理装置３０に送信することとしていたが、これに限らず、撮影済みのオーダＩＤを送信する所定時間を予め設定しておき、この所定時間毎に撮影済みフラグが「ＯＮ」に設定されている撮影オーダ情報のオーダＩＤを情報管理装置３０に送信することとしてもよい。
【００６３】
また、ＰＤＡ１０ａは、撮影済みか未撮影かの撮影状況のみを情報管理装置３０に通知することとしていたが、これに限らず、撮影中、撮影中止等、各種の撮影状況を入力して情報管理装置に送信し、情報管理装置３０側で各種の撮影状況を管理するようにしてもよい。これにより、より詳細な撮影状況を管理することができる。
【００６４】
また、上述した説明では、ＰＤＡ１０ａがカセッテＩＤを入力する方法として、バーコードを用いた例を説明したが、ＰＤＡ１０ａにおけるカセッテＩＤの入力方法は、特に限定しない。例えば、カセッテ７０に半導体集積回路（以下、ＩＣ；Ｉｎｔｅｇｒａｔｅｄ  Ｃｉｒｃｕｉｔ）を備えて、このＩＣにカセッテＩＤを記憶させておき、ＰＤＡ１０ａにカセッテＩＤを読み取るＩＣリーダを備えることとしてもよい。
【００６５】
その他、本実施の形態における医用画像撮影システム１００の細部構成及び細部動作に関しても、本発明の趣旨を逸脱することのない範囲で適宜変更可能である。
【００６６】
【発明の効果】
請求項１、４、５に記載の発明によれば、携帯型撮影情報装置が、撮影オーダ情報を受信して記憶するので、撮影オーダ情報の取り扱いの容易性及び正確性を確保することができる。また、携帯型撮影情報装置が、撮影オーダ情報の撮影状況を情報管理装置に送信し、情報管理装置が携帯型撮影情報装置から送信された撮影状況により撮影オーダ情報の撮影状況を更新して管理するので、情報管理装置側で撮影状況を容易に管理することができ、撮影状況の情報を提供することが可能となる。
【００６７】
請求項２に記載の発明によれば、携帯型撮影情報装置が、撮影状況が入力される毎にその撮影状況を情報管理装置に送信するので、より即時に撮影状況を管理することが可能となる。
【００６８】
請求項３に記載の発明によれば、携帯型撮影情報装置が、所定時間毎に、撮影状況を情報管理装置に送信するので、所定時間毎に撮影状況を更新して管理することが可能となる。
【図面の簡単な説明】
【図１】本発明を適用した実施の形態の医用画像撮影システム１００の全体構成を示す概念図である。
【図２】図１のＰＤＡ１０ａの機能的構成を示すブロック図である。
【図３】図２のオーダ登録ファイル１６１のデータ格納例を示す図である。
【図４】図２の撮影管理テーブル１６２のデータ格納例を示す図である。
【図５】医用画像撮影システム１００における撮影の全体的な流れを説明する図である。
【図６】図２のＣＰＵ１１により実行される撮影状況通知処理を説明するフローチャートである。
【図７】撮影状況通知処理で表示される撮影オーダ情報の一覧画面１３１の一例を示す図である。
【符号の説明】
１０ａ〜１０ｎ    ＰＤＡ
１１    ＣＰＵ
１２    操作部
１３    表示部
１４    通信制御部
１５    ＲＡＭ
１６    記憶装置
１６１    オーダ登録ファイル
１６２    撮影管理テーブル
１７    バーコードリーダ
３０    情報管理装置
４０    ポータブル撮影装置
５０    制御装置
６０    医用画像読取装置
７０    カセッテ
【図１】
2004147921.tif 000003
【図２】
2004147921.tif 000004
【図３】
2004147921.tif 000005
【図４】
2004147921.tif 000006
【図５】
2004147921.tif 000007
【図６】
2004147921.tif 000008
【図７】
2004147921.tif 000009